(57)【特許請求の範囲】
【請求項１】
物品の入搬出用扉を含み、前記物品を冷蔵するための冷蔵室に設置されるエアカーテンシステムであって、
前記入搬出用扉に隣り合うように配置され、前記冷蔵室内において床面に向かって吹き下ろされる冷蔵室内気流と、前記冷蔵室外において吹き降ろす冷蔵室外気流とを形成するためのエアカーテン装置と、
前記エアカーテン装置に吸引される空気を除湿するための除湿装置とを備え、
前記エアカーテン装置は、鉛直方向に対して前記入搬出用扉から離れる方向に向かって傾斜するように前記冷蔵室内気流と前記冷蔵室外気流とを形成するように構成され、
前記エアカーテン装置は、
前記冷蔵室外に配置されるとともに前記冷蔵室外気流を形成する冷蔵室外エアカーテン装置と、
前記冷蔵室内に配置されるとともに前記冷蔵室内気流を形成する冷蔵室内エアカーテン装置とを含み、
前記除湿装置は、前記冷蔵室外に配置され、
前記入搬出用扉が閉じられている場合には、
前記冷蔵室内エアカーテン装置は、動作を停止するように構成され、
前記冷蔵室外エアカーテン装置が、動作するように構成されている、エアカーテンシステム。
【請求項２】
前記冷蔵室外エアカーテン装置と、前記冷蔵室内エアカーテン装置とは、前記入搬出用扉を挟むように、一対設けられ、
前記冷蔵室外エアカーテン装置および前記冷蔵室内エアカーテン装置は、それぞれ、前記冷蔵室外エアカーテン装置および前記冷蔵室内エアカーテン装置の間の領域に除湿領域を形成するように、冷蔵室外気流および冷蔵室内気流を形成するように構成されている、請求項１に記載のエアカーテンシステム。
【請求項３】
前記除湿装置は、前記冷蔵室外エアカーテン装置の隣または内部に配置されている、請求項１または２に記載のエアカーテンシステム。
【請求項４】
前記除湿装置は、水分を吸着する吸着材を含むデシカント除湿機であり、
前記エアカーテン装置は、前記デシカント除湿機により除湿された空気を吸引するように構成されている、請求項１〜３のいずれか１項に記載のエアカーテンシステム。
【請求項５】
前記除湿装置は、熱交換器であり、
前記エアカーテン装置は、前記熱交換器により除湿された空気を吸引するように構成されている、請求項１〜３のいずれか１項に記載のエアカーテンシステム。
【請求項６】
物品の入搬出用扉を含み、前記物品を冷蔵するための冷蔵室と、
前記入搬出用扉に隣り合うように配置され、前記冷蔵室内において床面に向かって吹き下ろされる冷蔵室内気流と、前記冷蔵室外において吹き降ろす冷蔵室外気流とを形成するためのエアカーテン装置と、
前記エアカーテン装置に吸引される空気を除湿するための除湿装置とを備え、
前記エアカーテン装置は、鉛直方向に対して前記入搬出用扉から離れる方向に向かって傾斜するように前記冷蔵室内気流と前記冷蔵室外気流とを形成するように構成され、
前記エアカーテン装置は、
前記冷蔵室外に配置されるとともに前記冷蔵室外気流を形成する冷蔵室外エアカーテン装置と、
前記冷蔵室内に配置されるとともに前記冷蔵室内気流を形成する冷蔵室内エアカーテン装置とを含み、
前記除湿装置は、前記冷蔵室外に配置され、
前記入搬出用扉が閉じられている場合には、
前記冷蔵室内エアカーテン装置は、動作を停止するように構成され、
前記冷蔵室外エアカーテン装置が、動作するように構成されている、冷蔵倉庫。
【発明の詳細な説明】
【技術分野】
【０００１】
この発明は、物品を冷蔵するための冷蔵室に設置されるエアカーテンシステム、および、物品を冷蔵するための冷蔵室を備える冷蔵倉庫に関する。
【背景技術】
【０００２】
従来、物品を冷蔵するための冷蔵室を備える冷蔵倉庫が知られている（たとえば、特許文献１参照）。
【０００３】
上記特許文献１には、熱交換器と、開閉機構（物品の入搬出用扉）とを含む冷蔵室を備える冷蔵倉庫が開示されている。この特許文献１に記載の冷蔵倉庫は、開閉機構に面した冷蔵倉庫の内部の位置に前室を備えている。また、冷蔵室は、前室を介して冷蔵倉庫の外部空間と繋がっている。この冷蔵倉庫は、外気を一旦前室に導入し、前室において外気を除湿するように構成されている。そして、冷蔵倉庫は、前室において除湿（予備除湿）された外気を冷蔵倉庫の内部に供給するように構成されている。これにより、開閉機構を開閉した際に湿度が高い外気が冷蔵室の内部に侵入するのが抑制されて、冷蔵室内を冷蔵する熱交換器への着霜を抑制している。
【先行技術文献】
【特許文献】
【０００４】
【特許文献１】特開２０１２−７２９８１号公報
【発明の概要】
【発明が解決しようとする課題】
【０００５】
しかしながら、上記特許文献１に記載された冷蔵倉庫では、外気を除湿する前室を冷蔵倉庫の内部に設ける必要がある。このため、前室のスペース分だけ、冷蔵室内のスペースが小さく（狭く）なる。その結果、冷蔵室内における物品の保管スペースが小さく（狭く）なるという問題点がある。
【０００６】
この発明は、上記のような課題を解決するためになされたものであり、この発明の１つの目的は、冷蔵室内における物品の保管スペースが小さく（狭く）なるのを抑制しつつ、物品の入搬出用扉を開閉した際に湿度が高い外気が冷蔵室内部に侵入するのを抑制することが可能なエアカーテンシステムおよび冷蔵倉庫を提供することである。
【課題を解決するための手段】
【０００７】
上記目的を達成するために、この発明の第１の局面によるエアカーテンシステムは、物品の入搬出用扉を含み、物品を冷蔵するための冷蔵室に設置されるエアカーテンシステムであって、入搬出用扉に隣り合うように配置され、冷蔵室内において床面に向かって吹き下ろされる冷蔵室内気流と、冷蔵室外において吹き降ろす冷蔵室外気流とを形成するためのエアカーテン装置と、エアカーテン装置に吸引される空気を除湿するための除湿装置とを備え、エアカーテン装置は、鉛直方向に対して入搬出用扉から離れる方向に向かって傾斜するように冷蔵室内気流と冷蔵室外気流とを形成するように構成され、エアカーテン装置は、冷蔵室外に配置されるとともに冷蔵室外気流を形成する冷蔵室外エアカーテン装置と、冷蔵室内に配置されるとともに冷蔵室内気流を形成する冷蔵室内エアカーテン装置とを含み、除湿装置は、冷蔵室外に配置され、入搬出用扉が閉じられている場合には、冷蔵室内エアカーテン装置は、動作を停止するように構成され、冷蔵室外エアカーテン装置が、動作するように構成されている。
【０００８】
この発明の第１の局面によるエアカーテンシステムでは、上記のように、入搬出用扉と隣り合うように配置され、冷蔵室内において床面に向かって吹き下ろされる冷蔵室内気流と、冷蔵室外において吹き降ろす冷蔵室外気流とを形成するためのエアカーテン装置と、エアカーテン装置に吸引される空気を除湿するための除湿装置とを設ける。これにより、入搬出用扉の近傍において、除湿された空気を床面まで吹き下ろすことができる。その結果、除湿のために前室を設ける必要がないので、冷蔵室内における物品の保管スペースが小さく（狭く）なるのを抑制しつつ、物品の入搬出用扉を開閉した際に湿度が高い外気が冷蔵室内部に侵入するのを抑制することができる。
【０００９】
また、エアカーテン装置は、冷蔵室外に配置され、冷蔵室外の床面まで吹き下ろされる冷蔵室外気流を形成する冷蔵室外エアカーテン装置と、冷蔵室内に配置され、冷蔵室内の床面まで吹き下ろされる冷蔵室内気流を形成する冷蔵室内エアカーテン装置とを含み、除湿装置は、冷蔵室外に配置されている。このように構成すれば、冷蔵室外と冷蔵室内との境界領域において、冷蔵室外エアカーテン装置からの冷蔵室外気流と冷蔵室内エアカーテン装置からの冷蔵室内気流とが共に床面まで達するので、冷蔵室外との冷蔵室内とを境界領域において空気により遮断することができる。これにより、冷蔵室外と冷蔵室内との境界領域において除湿された空間を形成することができるので、入搬出用扉が開かれた状態でも、冷蔵室外から冷蔵室内に湿度が高い空気が流入するのを抑制することができる。また、冷蔵室外と冷蔵室内との間の熱移動を相互に遮断することができるので、冷蔵室内の温度を効率よく維持することができる。また、上記エアカーテン装置が冷蔵室外エアカーテン装置と冷蔵室内エアカーテン装置とを含む構成において、入搬出用扉が閉じられている場合には、冷蔵室内エアカーテン装置は、動作を停止するように構成され、冷蔵室外エアカーテン装置のみが、動作するように構成されている。このように構成すれば、入搬出用扉の近傍には除湿された空気が流れているので、入搬出用扉が閉じられている場合に入搬出用扉の結露を抑制するために、結露防止用のヒータを設けて入搬出用扉の結露を抑制する必要がない。
【００１０】
この場合、好ましくは、冷蔵室外エアカーテン装置と、冷蔵室内エアカーテン装置とは、入搬出用扉を挟むように、一対設けられ、冷蔵室外エアカーテン装置および冷蔵室内エアカーテン装置は、それぞれ、冷蔵室外エアカーテン装置および冷蔵室内エアカーテン装置の間の領域に除湿領域を形成するように、冷蔵室外気流および冷蔵室内気流を形成するように構成されている。このように構成すれば、冷蔵室外と冷蔵室内とにおいて、冷蔵室外気流と冷蔵室内気流とをバランスよく形成することができるので、冷蔵室外と冷蔵室内との境界領域に除湿領域（除湿された空間）を確実に形成することができる。
【００１１】
上記エアカーテン装置が冷蔵室外エアカーテン装置と冷蔵室内エアカーテン装置とを含む構成において、好ましくは、除湿装置は、冷蔵室外エアカーテン装置の隣または内部に配置されている。このように構成すれば、除湿装置を冷蔵室外エアカーテン装置の近傍に配置しない場合と異なり、エアカーテンシステムをコンパクト（小規模）に構成することができる。
【００１３】
上記第１の局面によるエアカーテンシステムにおいて、好ましくは、除湿装置は、水分を吸着する吸着材を含むデシカント除湿機であり、エアカーテン装置は、デシカント除湿機により除湿された空気を吸引するように構成されている。このように構成すれば、デシカント除湿機を用いて、容易に、入搬出用扉の近傍において、除湿された空気を床面まで吹き下ろすことができる。
【００１４】
上記第１の局面によるエアカーテンシステムにおいて、好ましくは、除湿装置は、熱交換器であり、エアカーテン装置は、熱交換器により除湿された空気を吸引するように構成されている。このように構成すれば、熱交換器を用いて、容易に、入搬出用扉の近傍において、除湿された空気を床面まで吹き下ろすことができる。また、熱交換器により、エアカーテン装置に吸引される空気を除湿するとともに、冷却を行うことができる。これにより、冷蔵室に侵入する顕熱負荷を低下することができるので、冷蔵室を冷却する冷却装置（冷凍機）の消費電力が増加するのを抑制することができる。
【００１５】
この発明の第２の局面による冷蔵倉庫は、物品の入搬出用扉を含み、物品を冷蔵するための冷蔵室と、入搬出用扉に隣り合うように配置され、冷蔵室内において床面に向かって吹き下ろされる冷蔵室内気流と、冷蔵室外において吹き降ろす冷蔵室外気流とを形成するためのエアカーテン装置と、エアカーテン装置に吸引される空気を除湿するための除湿装置とを備え、エアカーテン装置は、鉛直方向に対して入搬出用扉から離れる方向に向かって傾斜するように冷蔵室内気流と冷蔵室外気流とを形成するように構成され、エアカーテン装置は、冷蔵室外に配置されるとともに冷蔵室外気流を形成する冷蔵室外エアカーテン装置と、冷蔵室内に配置されるとともに冷蔵室内気流を形成する冷蔵室内エアカーテン装置とを含み、除湿装置は、冷蔵室外に配置され、入搬出用扉が閉じられている場合には、冷蔵室内エアカーテン装置は、動作を停止するように構成され、冷蔵室外エアカーテン装置が、動作するように構成されている。
【００１６】
この発明の第２の局面による冷蔵倉庫では、上記のように、入搬出用扉に隣り合うように配置され、冷蔵室内において床面に向かって吹き下ろされる冷蔵室内気流と、冷蔵室外において吹き降ろす冷蔵室外気流とを形成するためのエアカーテン装置と、エアカーテン装置に吸引される空気を除湿するための除湿装置とを設ける。これにより、入搬出用扉の近傍において、除湿された空気を床面まで吹き下ろすことができる。その結果、除湿装置を冷蔵室外、または冷蔵室内の天井近傍など物品の保管に影響しない位置に配置する場合には、冷蔵室内における物品の保管スペースが小さく（狭く）なるのを抑制しつつ、物品の入搬出用扉を開閉した際に湿度が高い外気が冷蔵室内部に侵入するのを抑制することができる。
【００１７】
上記第２の局面による冷蔵倉庫において、好ましくは、エアカーテン装置は、冷蔵室外に配置されるとともに冷蔵室外気流を形成する冷蔵室外エアカーテン装置を含み、除湿装置は、冷蔵室外に配置されている。このように構成すれば、冷蔵室外と冷蔵室内との境界領域において、冷蔵室外エアカーテン装置からの冷蔵室外気流によって、冷蔵室外と冷蔵室内とをこの境界領域において空気（気流の壁）により遮断することができる。これにより、冷蔵室外と冷蔵室内との境界領域の内側に除湿された空間を形成することができるので、入搬出用扉が開かれた状態でも、冷蔵室外から冷蔵室内に湿度が高い空気が流入するのを抑制することができる。また、冷蔵室外と冷蔵室内との間の熱移動を相互に遮断することができるので、冷蔵室内の温度を効率よく維持することができる。
【発明の効果】
【００１８】
本発明によれば、上記のように、冷蔵室内における物品の保管スペースが小さく（狭く）なるのを抑制しつつ、物品の入搬出用扉を開閉した際に湿度が高い外気が冷蔵室内部に侵入するのを抑制することが可能なエアカーテンシステムおよび冷蔵倉庫を提供することができる。
【図面の簡単な説明】
【００１９】
【図１】本発明の第１実施形態による冷蔵倉庫の構成を示した図である。
【図２】本発明の第１実施形態における冷蔵倉庫の制御構成を示したブロック図である。
【図３】本発明の第１実施形態による冷蔵倉庫における入搬出用扉が閉鎖された状態を示した図である。
【図４】本発明の第２実施形態による冷蔵倉庫の構成を示した図である。
【図５】本発明の第２実施形態における冷蔵倉庫の制御構成を示したブロック図である。
【発明を実施するための形態】
【００２０】
以下、本発明を具体化した実施形態を図面に基づいて説明する。
【００２１】
［第１実施形態］
まず、図１〜図３を参照して、本発明の第１実施形態による冷蔵倉庫１００ａの構成について説明する。
【００２２】
（冷蔵倉庫およびエアカーテンシステムの構成）
図１に示すように、冷蔵倉庫１００ａは、冷蔵室１０の内部空間を所定温度に維持した状態で物品（商品）を保管するための冷凍冷蔵倉庫である。冷蔵倉庫１００ａは、物品１を冷蔵するための冷蔵室１０を備えている。また、冷蔵室１０には、エアカーテンシステム１００が設置されている。エアカーテンシステム１００は、エアカーテン装置２０と、除湿装置３０と、冷却装置４０とを備えている。
【００２３】
（冷蔵室の構成）
冷蔵室１０は、たとえば、直方体の内部空間を有している。冷蔵室１０は、入搬出用扉１１を含んでいる。入搬出用扉１１は、たとえば、１つ設けられている。入搬出用扉１１は、開閉可能に構成されている。すなわち、入搬出用扉１１を開けた状態で、冷蔵室１０の外部から内部に物品１が搬入される。また、入搬出用扉１１を開けた状態で、冷蔵室１０の内部から外部に物品１が搬出されるように構成されている。
【００２４】
（エアカーテン装置の構成）
エアカーテン装置２０は、入搬出用扉１１の近傍に配置され、床面まで吹き下ろされる冷蔵室気流を形成するように構成されている。また、エアカーテン装置２０は、入搬出用扉１１に隣接するように配置されている。また、エアカーテン装置２０は、冷蔵室１０の中心の高さ位置よりも上方の高さ位置に（冷蔵室１０の上部の位置に）設けられている。
【００２５】
エアカーテン装置２０は、冷蔵室外エアカーテン装置２１０と、冷蔵室内エアカーテン装置２２０とを含んでいる。冷蔵室外エアカーテン装置２１０と冷蔵室内エアカーテン装置２２０とは、入搬出用扉１１を挟むように、一対設けられている。また、冷蔵室外エアカーテン装置２１０と冷蔵室内エアカーテン装置２２０とは、床面から同じ距離だけ離れた高さ位置に配置されている。ここで、冷蔵室外エアカーテン装置２１０と冷蔵室内エアカーテン装置２２０とは、たとえば、同数配置するように構成されている。すなわち、冷蔵室外エアカーテン装置２１０と冷蔵室内エアカーテン装置２２０とは、概略的には、入搬出用扉１１を通る鉛直線に対して、線対称の関係を有して配置されている。
【００２６】
冷蔵室外エアカーテン装置２１０は、冷蔵室１０の外部に配置されている。冷蔵室外エアカーテン装置２１０は、空気を吸引する吸込口２１１を含んでいる。冷蔵室外エアカーテン装置２１０は、空気を吹き出す（吐出する）吹出口２１２を含んでいる。冷蔵室外エアカーテン装置２１０は、入搬出用扉１１と反対方向（Ｘ１方向）に、吹出口２１２から空気を吹き出すように構成されている。冷蔵室外エアカーテン装置２１０は、上方から床面に向けて、吹出口２１２から空気を吹き出すように構成されている。これにより、冷蔵室外エアカーテン装置２１０は、冷蔵室１０外の床面まで吹き下ろされる冷蔵室外気流Ｐ１（以下、外気流Ｐ１という）を形成するように構成されている。
【００２７】
冷蔵室内エアカーテン装置２２０は、冷蔵室１０の内部に配置されている。冷蔵室内エアカーテン装置２２０は、空気を吸引する吸込口２２１を含んでいる。冷蔵室内エアカーテン装置２２０は、空気を吹き出す（吐出する）吹出口２２２を含んでいる。冷蔵室内エアカーテン装置２２０は、入搬出用扉１１と反対方向（Ｘ方向）に、吹出口２２２から空気を吹き出すように構成されている。冷蔵室内エアカーテン装置２２０は、上方から床面に向けて、吹出口２２２から空気を吹き出すように構成されている。これにより、冷蔵室内エアカーテン装置２２０は、冷蔵室１０内の床面まで吹き下ろされる冷蔵室内気流Ｐ２（以下、内気流Ｐ２という）を形成するように構成されている。冷蔵室内エアカーテン装置２２０と、後述する冷却装置４０との動作により、冷蔵室１０内に、内気流Ｐ２を含む冷気循環流Ｇ（以下、循環流Ｇという）が形成される。
【００２８】
（除湿装置の構成）
除湿装置３０は、冷蔵室外エアカーテン装置２１０に吸引される空気を除湿するように構成されている。また、除湿装置３０は、冷蔵室１０の外部に配置されている。
【００２９】
第１実施形態の構成例では、除湿装置３０は、冷蔵室外エアカーテン装置２１０の近傍に配置されている。また、除湿装置３０は、冷蔵室外エアカーテン装置２１０に隣接するように配置されている。
【００３０】
また、第１実施形態の構成例では、除湿装置３０は、たとえば、水分を吸着する吸着材を含むデシカント除湿機３１０である。デシカント除湿機３１０により除湿された空気は、冷蔵室外エアカーテン装置２１０により、吸引される。デシカント除湿機３１０は、ゼオライトやシリカゲルなどの吸着材を担持するデシカントロータ３１１を含んでいる。デシカント除湿機３１０は、図示しない冷却コイルにより予冷された空気を、デシカントロータ３１１に流入させるように構成されている。デシカントロータ３１１に流入された空気の水分は、デシカントロータ３１１を通過する際に、デシカントロータ３１１に吸着される。このようにして、湿度が低下させられた空気は、冷蔵室外エアカーテン装置２１０の吸込口２１１に吸い込まれる。なお、デシカント除湿機３１０は、特許請求の範囲の「除湿装置」の一例である。
【００３１】
また、デシカント除湿機３１０は、図示しないヒータを含んでいる。デシカント除湿機３１０は、ヒータで加熱した空気をデシカントロータ３１１に流入させ、その後、デシカント除湿機３１０の外部に放出するように構成されている。これにより、水分を吸着したデシカントロータ３１１から水分を脱離させ、デシカントロータ３１１を再度、使用可能な状態にすることができる。
【００３２】
（冷却装置の構成）
冷蔵室１０の内部には、冷却装置４０が設けられている。冷却装置４０は、入搬出用扉１１とは反対側の冷蔵室１０の位置に配置されている。冷却装置４０は、冷蔵室１０の空気を冷却して、設定された温度に保つように構成されている。冷却装置４０は、送風機能を有している。冷却装置４０は、冷蔵室１０内の空気を吸引する吸込口４１を含んでいる。冷却装置４０は、冷蔵室１０内に空気を吹き出す（吐出する）吹出口４２を含んでいる。
【００３３】
（空気の流れ（気流）について）
冷蔵室１０の外部において、空気は、冷蔵室外エアカーテン装置２１０の吹出口２１２から、鉛直方向に対して所定角度傾斜した方向に吹き出される。この空気の流れ（気流Ｐ１）は、床面に到達することにより、入搬出用扉１１方向（Ｘ２方向）と、入搬出用扉１１と反対方向（Ｘ１方向）との２つの方向に分岐される。入搬出用扉１１と反対方向（Ｘ１方向）に進む空気は、床面に沿って進みながら拡散していく。一方、入搬出用扉１１方向（Ｘ２方向）に進む空気は、床面に沿って進んだ後、境界領域Ｂで上昇して再び吹出口２１２からの気流に混合される。これにより、境界領域Ｂには渦流Ｑ１が発生する。
【００３４】
一方、冷蔵室１０の内部において空気は、冷蔵室内エアカーテン装置２２０の吹出口２２２から、鉛直方向に対して所定角度傾斜した方向に吹き出される。この空気の流れ（気流Ｐ２）は、床面に到達することにより、入搬出用扉１１方向（Ｘ１方向）と、入搬出用扉１１と反対方向（Ｘ２方向）との２つの方向に分岐される。入搬出用扉１１と反対方向（Ｘ２方向）に進む空気は、床面に沿って進む。その後、空気は冷蔵室１０の内側壁１０１に到達し、内側壁１０１に沿って上昇した後、冷却装置４０により冷蔵室内エアカーテン装置２２０に向けて送風される。これにより、冷蔵室１０内部に循環流Ｇが形成される。一方、入搬出用扉１１方向（Ｘ１方向）に進む空気は、床面に沿って進んだ後、境界領域Ｂで上昇して再び吹出口２２２からの冷気に混合される。これにより、境界領域Ｂには循環流Ｇよりも小さい渦流Ｑ２が発生する。
【００３５】
また、冷蔵室外エアカーテン装置２１０および冷蔵室内エアカーテン装置２２０は、それぞれ、冷蔵室外エアカーテン装置２１０および冷蔵室内エアカーテン装置２２０の間の領域に除湿領域Ｄを形成するように、外気流Ｐ１および内気流Ｐ２を形成するように構成されている。詳細には、境界領域Ｂにおいては、渦流Ｑ１およびＱ２が生じるものの、冷蔵室１０の外部の外気流Ｐ１と、冷蔵室１０の内部の内気流Ｐ２とは、鉛直下方向に進むにつれて、互いの間隔を大きくするように進む（末広がり状に並進する）。これにより、外気流Ｐ１と内気流Ｐ２とが合流して、境界領域Ｂに１つの下降気流が形成されるのが防止されている。その結果、渦流Ｑ１およびＱ２を、外気流Ｐ１と内気流Ｐ２とが分離された状態で発生させることができる。このため、入搬出用扉１１を開放した状態でも、冷蔵室１０の外部と内部との境界領域Ｂの空気の湿度を低く保つことができる。また、このような、外気流Ｐ１および内気流Ｐ２を形成することにより、入搬出用扉１１より冷蔵室１０の外部と内部とが遮断されていない状態でも、冷蔵室１０の外部と内部とを熱的に遮断することができる。すなわち、入搬出用扉１１に垂直な方向（Ｘ方向）において、冷蔵室１０の外部と内部との熱移動（この場合、外部から内部への熱移動）が遮断される。
【００３６】
（その他の構成）
また、図２に示すように、冷蔵倉庫１００ａは、冷蔵倉庫１００ａの各種動作制御を行うコントローラ５０を備えている。コントローラ５０は、たとえば、冷蔵倉庫１００ａの外部に配置されている。コントローラ５０は、統括制御部５１と、冷蔵室外エアカーテン装置制御部５２と、除湿装置制御部５３と、冷蔵室内エアカーテン装置制御部５４と、冷却装置制御部５５とを備えている。各制御部（５１〜５５）は、所定の制御プログラムに基づいて動作するＣＰＵを含んでいる。
【００３７】
統括制御部５１は、冷蔵倉庫１００ａの全体の動作制御を統括するように構成されている。冷蔵室外エアカーテン装置制御部５２は、冷蔵室外エアカーテン装置２１０の動作を制御するように構成されている。除湿装置制御部５３は、除湿装置３０の動作を制御するように構成されている。冷蔵室内エアカーテン装置制御部５４は、冷蔵室内エアカーテン装置２２０の動作を制御するように構成されている。冷蔵室外エアカーテン装置制御部５２および冷蔵室内エアカーテン装置制御部５４の制御により、入搬出用扉１１が閉じられている場合（図３参照）には、冷蔵室内エアカーテン装置２２０は、動作を停止され、冷蔵室外エアカーテン装置２１０のみが、動作される。また、冷却装置制御部５５は、冷却装置４０の動作を制御するように構成されている。また、図１に示すように、冷蔵室１０の内部には、冷蔵室１０の内部空間の温度を検出する温度センサ８１が設けられている。温度センサ８１は、統括制御部５１（図２参照）に電気的に接続されている。温度センサ８１により検出された冷蔵室１０の内部温度に基づいて、統括制御部５１が所定の演算処理を行う。そして、統括制御部５１は、演算処理結果に基づいて、冷蔵室内エアカーテン装置制御部５４（図２参照）および冷却装置制御部５５（図２参照）の各々に、冷蔵室１０内の冷却制御に関する命令を与える。
【００３８】
（第１実施形態の効果）
第１実施形態では、以下のような効果を得ることができる。
【００３９】
第１実施形態では、上記のように、入搬出用扉１１の近傍に配置され、床面まで吹き下ろされる冷蔵室気流を形成するためのエアカーテン装置２０と、エアカーテン装置２０に吸引される空気を除湿するためのデシカント除湿機３１０とを設ける。これにより、入搬出用扉１１の近傍において、除湿された空気を床面まで吹き下ろすことができる。その結果、除湿のために前室を設ける必要がないので、冷蔵室１０内における物品１の保管スペースが小さく（狭く）なるのを抑制しつつ、物品１の入搬出用扉１１を開閉した際に湿度が高い外気が冷蔵室１０内部に侵入するのを抑制することができる。
【００４０】
また、第１実施形態では、冷蔵室１０外に配置され、冷蔵室１０外の床面まで吹き下ろされる外気流Ｐ１を形成する冷蔵室外エアカーテン装置２１０と、冷蔵室１０内に配置され、冷蔵室１０内の床面まで吹き下ろされる内気流Ｐ２を形成する冷蔵室内エアカーテン装置２２０とを含むエアカーテン装置２０を設ける。また、デシカント除湿機３１０を冷蔵室１０外に設ける。これにより、冷蔵室１０外と冷蔵室１０内との境界領域Ｂにおいて、冷蔵室外エアカーテン装置２１０からの外気流Ｐ１と冷蔵室内エアカーテン装置２２０からの内気流Ｐ２とが共に床面まで達するので、冷蔵室１０の外部と冷蔵室１０の内部とをこの境界領域Ｂにおいて空気（気流の壁）により遮断することができる。その結果、冷蔵室１０の外部と冷蔵室１０の内部との境界領域Ｂの内側に除湿された空間を形成することができるので、入搬出用扉１１が開かれた状態でも、冷蔵室１０の外部から冷蔵室１０の内部に湿度が高い空気が流入するのを抑制することができる。また、冷蔵室１０の外部と冷蔵室１０の内部との間の熱移動を相互に遮断することができるので、冷蔵室１０内の温度を効率よく維持することができる。
【００４１】
また、第１実施形態では、入搬出用扉１１を挟むように、一対の冷蔵室外エアカーテン装置２１０および冷蔵室内エアカーテン装置２２０を設ける。冷蔵室外エアカーテン装置２１０および冷蔵室内エアカーテン装置２２０の間の領域に除湿領域Ｄを形成するように、外気流Ｐ１および内気流Ｐ２を形成するように、冷蔵室外エアカーテン装置２１０および冷蔵室内エアカーテン装置２２０の各々を構成する。これにより、冷蔵室１０の外部と冷蔵室１０の内部とにおいて、外気流Ｐ１と内気流Ｐ２とをバランスよく形成することができるので、冷蔵室１０の外部と冷蔵室１０の内部との境界領域Ｂに除湿領域Ｄ（除湿された空間）を確実に形成することができる。
【００４２】
また、第１実施形態では、冷蔵室外エアカーテン装置２１０の近傍にデシカント除湿機３１０を配置する。これにより、デシカント除湿機３１０を冷蔵室外エアカーテン装置２１０の近傍に配置しない場合と異なり、エアカーテンシステム１００をコンパクト（小規模）に構成することができる。
【００４３】
また、第１実施形態では、入搬出用扉１１が閉じられている場合には、冷蔵室内エアカーテン装置２２０の動作を停止し、冷蔵室外エアカーテン装置２１０のみを動作する。これにより、入搬出用扉１１の近傍には除湿された空気が流れているので、入搬出用扉１１が閉じられている場合に入搬出用扉１１の結露を抑制するために、結露防止用のヒータを設けて入搬出用扉１１の結露を抑制する必要をなくすことができる。
【００４４】
また、第１実施形態では、デシカント除湿機３１０により除湿された空気を吸引するように冷蔵室外エアカーテン装置２１０を構成する。これにより、デシカント除湿機３１０を用いて、容易に、入搬出用扉１１の近傍において、除湿された空気を床面まで吹き下ろすことができる。
【００４５】
［第２実施形態］
次に、図４および図５を参照して、第２実施形態について説明する。この第２実施形態では、上記第１実施形態と異なり、除湿をするのにデシカント除湿機３１０に代えて、熱交換器３２０を用いた構成例について説明する。また、第１実施形態と同様の構成については、第１実施形態と同じ符号を付すとともに、説明を省略する。なお、熱交換器３２０は、特許請求の範囲の「除湿装置」の一例である。
【００４６】
本発明の第２実施形態における冷凍倉庫２００ａは、図４に示すように、熱交換器３２０（破線で示す）を備えている。詳細には、熱交換器３２０は、冷蔵室外エアカーテン装置４１０に内蔵されている。すなわち、冷蔵室外エアカーテン装置４１０は、第１実施形態の冷蔵室外エアカーテン装置２１０が熱交換器３２０をさらに備えたものである。
【００４７】
冷蔵室外エアカーテン装置４１０は、熱交換器３２０を用いて、空気の冷却を行うとともに、冷却に伴い空気の除湿を行うように構成されている。冷蔵室外エアカーテン装置４１０は、熱交換器３２０により除湿された空気を吸引するように構成されている。また、冷蔵室外エアカーテン装置４１０は、空気の送風を行うように構成されている。これにより、冷蔵室外エアカーテン装置４１０は、除湿された空気を吹き出すように構成されている。
【００４８】
冷蔵室外エアカーテン装置４１０は、冷蔵室１０の外部において、熱交換器３２０により冷却されるとともに、除湿された空気（冷気）を吹出口２１２から斜め下方向に吹き出すように構成されている。また、熱交換器３２０は、冷却装置制御部５５（図５参照）によって動作が制御されるように構成されている。なお、第２実施形態のその他の構成は、上記第１実施形態と同様である。
【００４９】
第２実施形態では、以下のような効果を得ることができる。
【００５０】
（第２実施形態の効果）
第２実施形態では、上記のように、第１実施形態と同様、冷蔵室内における物品１の保管スペースが小さくなるのを抑制しつつ、物品１の入搬出用扉１１を開閉した際に湿度が高い外気が冷蔵室内部に侵入するのを抑制することができる。
【００５１】
また、第２実施形態では、熱交換器３２０により除湿された空気を吸引するように冷蔵室外エアカーテン装置４１０を構成する。これにより、熱交換器３２０を用いて、容易に、入搬出用扉１１の近傍において、除湿された空気を床面まで吹き下ろすことができる。また、熱交換器３２０により、冷蔵室外エアカーテン装置４１０に吸引される空気を除湿するとともに、冷却を行うことができる。これにより、冷蔵室に侵入する顕熱負荷を低下することができるので、冷却装置４０に接続されている冷凍機ユニット（図示せず）の消費電力が増加するのを抑制することができる。なお、第２実施形態のその他の効果は、上記第１実施形態と同様である。
【００５２】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００５３】
たとえば、上記第１および第２実施形態では、冷蔵室外エアカーテン装置２１０（４１０）および冷蔵室内エアカーテン装置２２０を一対設けた構成を示したが、本発明はこれに限られない。本発明では、冷蔵室外エアカーテン装置２１０（４１０）および冷蔵室内エアカーテン装置２２０を一対設けない構成であってもよい。
【００５４】
また、上記第１および第２実施形態では、冷蔵室外エアカーテン装置２１０（４１０）と、冷蔵室内エアカーテン装置２２０とが、概略的には、入搬出用扉１１を通る鉛直線に対して、線対称に配置されている例について示したが、本発明はこれに限られない。本発明では、冷蔵室外エアカーテン装置２１０（４１０）と、冷蔵室内エアカーテン装置２２０とが、概略的には、入搬出用扉１１を通る鉛直線に対して、非対称構造の配置（線対称構造でない配置）を有していてもよい。
【００５５】
また、上記第１および第２実施形態では、別個の冷蔵室外エアカーテン装置２１０（４１０）と、冷蔵室内エアカーテン装置２２０とを設ける例について示したが、本発明はこれに限られない。本発明では、冷蔵室外エアカーテン装置２１０（４１０）と、冷蔵室内エアカーテン装置２２０との機能を兼ね備えた１つのエアカーテン装置を設けてもよい。
【００５６】
また、上記第１実施形態では、デシカント除湿機３１０が、冷蔵室外エアカーテン装置２１０に隣接するように配置されている例について示したが、本発明はこれに限られない。本発明では、デシカント除湿機３１０が、冷蔵室外エアカーテン装置２１０と離間して配置されていてもよい。
【００５７】
また、上記第１および第２実施形態では、入搬出用扉１１が閉じられている場合には、冷蔵室内エアカーテン装置２２０の動作を停止し、冷蔵室外エアカーテン装置２１０（４１０）のみが動作する例について示したが、本発明はこれに限られない。本発明では、入搬出用扉１１が閉じられている場合には、冷蔵室内エアカーテン装置２２０および冷蔵室外エアカーテン装置２１０（４１０）の両方を動作させてもよい。
【００５８】
また、上記第１実施形態では、除湿装置３０がデシカント除湿機３１０であり、上記第２実施形態では、除湿装置３０が熱交換器３２０である例について示したが、本発明はこれに限られない。本発明では、除湿装置３０が、デシカント除湿機３１０または熱交換器３２０以外の除湿装置であってもよい。
【００５９】
また、上記第１および第２実施形態では、冷蔵室１０の外部の床面まで外気流Ｐ１を吹き下ろす冷蔵室外エアカーテン装置２１０と、冷蔵室１０の内部の床面まで内気流Ｐ２を吹き下ろす冷蔵室内エアカーテン装置２２０とをエアカーテン装置２０に設けたが、本発明はこれに限られない。本発明では、たとえば、入搬出用扉１１の両側から開口部に向かって水平方向に気流を吹き出す横吹き仕様のエアカーテン装置に対して、このエアカーテン装置に吸引される空気を除湿するための除湿装置を設けるように構成してもよい。
【符号の説明】
【００６０】
１  物品
１０  冷蔵室
１１  入搬出用扉
２０  エアカーテン装置
３０  除湿装置
１００  エアカーテンシステム
１００ａ、２００ａ  冷蔵倉庫
２１０、４１０  冷蔵室外エアカーテン装置
２２０  冷蔵室内エアカーテン装置
３１０  デシカント除湿機３１０（除湿装置）
３２０  熱交換器（除湿装置）
Ｄ  除湿領域
Ｐ１  冷蔵室外気流（外気流）
Ｐ２  冷蔵室内気流（内気流）
【図１】
0006798118.tif 000002
【図２】
0006798118.tif 000003
【図３】
0006798118.tif 000004
【図４】
0006798118.tif 000005
【図５】
0006798118.tif 000006